(57)【要約】【課題】本発明は、デジタルマルチメディア放送受信用の移動通信端末機のオーディオ送出装置及び方法に関する。【解決手段】本発明の装置は少なくともオーディオ信号を含んで送信されるデジタルマルチメディア放送を受信して、前記受信されたデジタルマルチメディア放送からオーディオ信号を分離して出力する放送受信処理部と、前記分離したオーディオ信号をアナログ形態に変換するデジタル／アナログ変換部と、音声通話の遂行中に前記デジタルマルチメディア放送に含まれて送信されるオーディオ信号の送出が要求されるか否かを判断する制御部と、前記制御部の制御を受けて前記デジタル／アナログ変換部から出力されるアナログオーディオ信号を使用者の通話音声信号と合成する合成部と、前記合成された信号を無線送出する通話部と、から構成されることを特徴とする。【選択図】図１
2005117630.tif 000002
【特許請求の範囲】
【請求項１】
デジタルマルチメディア放送受信用の移動通信端末機のオーディオ送出装置において、
少なくともオーディオ信号を含んで送信されるデジタルマルチメディア放送を受信し、前記受信されたデジタルマルチメディア放送からオーディオ信号を分離して出力する放送受信処理部と、
前記分離したオーディオ信号をアナログ形態に変換するデジタル／アナログ変換部と、
音声通話の遂行中に前記デジタルマルチメディア放送に含まれて送信されるオーディオ信号の送出が要求されるか否かを判断する制御部と、
前記制御部の制御を受けて前記デジタル／アナログ変換部から出力されるアナログオーディオ信号を使用者の通話音声信号と合成する第１の合成部と、
前記合成された信号を無線送出する通話部と、で構成されることを特徴とする装置。
【請求項２】
前記第１の合成部は、マイクを通じて入力される使用者の通話音声信号と前記デジタル／アナログ変換部から入力されるアナログオーディオ信号の利得を調整してこれらを合成する請求項１記載の装置。
【請求項３】
前記利得調整は前記オーディオ信号と前記通話音声信号の入力、あるいは増幅の割合を使用者の選択によって調整する請求項２記載の装置。
【請求項４】
前記通話部を通じて入力される受信通話音声信号と前記第１の合成部とで出力される第１次合成信号が第２次合成されてスピーカーを通じて監視用の可聴音として出力されるようにするための第２の合成部をさらに含む請求項１記載の装置。
【請求項５】
使用者の入力によるミュート機能選択を感知すると、前記第１の合成部が前記使用者の通話音声信号を処理しないように制御する信号が発生される請求項１記載の装置。
【請求項６】
前記通話音声信号を処理しないように制御信号は、前記通話部に含まれる基底帯域モデムから発生される請求項５記載の装置。
【請求項７】
前記通話音声信号を処理しないように制御する信号に回答して、前記使用者の通話音声信号を前記第１の合成部に伝達するか、遮断する信号伝達統制部をさらに具備する請求項５記載の装置。
【請求項８】
前記放送受信処理部で受信したデジタルマルチメディア放送にオーディオ信号が含まれていることが感知された時、前記放送オーディオ信号の送出が可能であることを表示する表示部をさらに具備する請求項１記載の装置。
【請求項９】
デジタルマルチメディア放送受信用の移動通信端末機のオーディオ送出装置において、
少なくともオーディオ信号を含んで送信されるデジタルマルチメディア放送を受信して、前記受信されたデジタルマルチメディア放送からオーディオ信号を分離して出力する放送受信処理部と、
通話音声信号と前記分離したオーディオ信号との割合を調整する割合調整部と、
前記割合調整部から出力されるオーディオ信号を使用者の通話音声信号と合成する第１の合成部と、
前記合成された信号を無線送出する通話部と、で構成されることを特徴とする装置。
【請求項１０】
前記割合調整されたオーディオ信号の利得を調整して、前記第１の合成部に伝達する第１の可変利得制御部と、
前記通話部でデジタル形態に変換された使用者の通話音声信号の利得を調整して前記第１の合成部に伝達する第２の可変利得制御部と、をさらに具備する請求項９記載の装置。
【請求項１１】
マイクを通じて入力される使用者の通話音声信号を前記通話部に伝達するか、遮断する第１の信号伝逹統制部と、
使用者の入力によるミュート機能選択を感知すると、前記第１の信号伝逹統制部が前記使用者の通話音声信号を前記通話部に伝達しないように制御するための第１制御信号を発生する制御部と、をさらに具備する請求項１０記載の装置。
【請求項１２】
前記通話部のスピーカーを通じて可聴音の形態で出力されるように前記第１の合成部出力と無線受信された通話音声信号を合成して前記通話部のスピーカーに伝達する第２の合成部と、
前記第１の合成部出力を前記第２の合成部に伝達するか、遮断する第２の信号伝逹統制部と、
使用者の入力による監視機能選択を感知すると、前記第２の信号伝逹統制部が前記第１の合成部出力を前記第２の合成部に伝達するように制御する第２の制御信号を発生する制御部と、をさらに具備する請求項１０記載の装置。
【請求項１３】
前記制御部が前記通話部に含まれた基底帯域モデムである請求項１１または１２記載の装置。
【請求項１４】
前記制御部が前記放送受信処理部に含まれたデジタルマルチメディア放送受信モジュールである請求項１１または１２記載の装置。
【請求項１５】
前記制御部が前記放送受信処理部に含まれた復号部である請求項１１または１２記載の装置。
【請求項１６】
前記放送受信処理部で受信したデジタルマルチメディア放送信号にオーディオ信号が含まれていることが感知された時、前記オーディオ信号の送出が可能であることを表示する表示部をさらに具備する請求項９記載の装置。
【請求項１７】
デジタルマルチメディア放送受信用の移動通信端末機のオーディオ送出装置において、
少なくともオーディオ信号を含んで送信されるデジタルマルチメディア放送を受信して、前記受信されたデジタルマルチメディア放送からオーディオ信号を分離して出力する放送受信処理部と、
前記分離したオーディオ信号がデータ送出専用チャンネルを通じて送出されることができるように割合を調整する割合調整部と、
無線環境によって前記割合調整部の調整割合が可変されるように制御して、前記オーディオ信号を、データ送出専用チャンネルを通じて送る通話部と、で構成されることを特徴とする装置。
【請求項１８】
前記放送オーディオ信号の送出が可能であることを表示する表示部と、
前記通話部は前記放送受信処理部で受信したデジタルマルチメディア放送信号にオーディオ信号が含まれていることが感知されると、前記表示部を制御してこれを表示するようにする制御部と、をさらに具備する請求項１７記載の装置。
【請求項１９】
前記通話部はデータ送信速度による割合調整信号を発生して、前記割合調整部を制御する制御部をさらに具備する請求項１７記載の装置。
【請求項２０】
前記制御部はデジタル通信のための基底帯域モデムである請求項１８または１９記載の装置。
【請求項２１】
前記通話部はアナログ／デジタル−デジタル／アナログ変換部をさらに具備し、
前記アナログ／デジタル−デジタル／アナログ変換部は所定の制御信号に応答して前記使用者の通話音声信号を処理しなくてミュート機能が遂行されるようにする請求項１７記載の装置。
【請求項２２】
使用者のミュート機能選択を感知すると、前記アナログ／デジタル−デジタル／アナログ変換部が前記使用者の通話音声信号を処理しないように制御するための信号を発生する請求項２１記載の装置。
【請求項２３】
前記制御信号が前記通信部に含まれる基底帯域モデムから発生される請求項２２記載の装置。
【請求項２４】
前記制御信号が前記放送受信部に含まれるデジタルマルチメディア放送受信モジュールから発生される請求項２２記載の装置。
【請求項２５】
前記制御信号が前記放送受信部に含まれる復号部から発生される請求項２２記載の装置。
【請求項２６】
使用者のミュート機能選択を感知すると、前記アナログ／デジタル−デジタル／アナログ変換部が前記使用者の通話音声信号を処理しないように制御するための信号を発生する制御部をさらに具備する請求項２１記載の装置。
【請求項２７】
デジタルマルチメディア放送受信用の移動通信端末機のオーディオ送出方法において、
音声通話機能の遂行中に放送信号が受信されるか否かをチェックする第１の過程と、
受信された放送信号にオーディオ信号が含まれているか否かをチェックする第２の過程と、
受信された放送信号にオーディオ信号が含まれていると、これを検出して音声チャンネルを通じて送出する第３の過程と、を含むことを特徴とする方法。
【請求項２８】
前記第３の過程は受信された放送信号から検出したオーディオ信号を通話音声信号と合成して送出する請求項２７記載の方法。
【請求項２９】
使用者による音監視機能の選択可否をチェックする第４の過程と、
前記音監視機能が選択されたら、前記放送信号から検出したオーディオ信号と通話音声信号との合成信号がスピーカーを通じて可聴音の形態で出力されるように信号の伝達経路を連結するための制御信号を発生する第５の過程と、をさらに含む請求項２８記載の方法。
【請求項３０】
使用者による音監視機能の選択可否をチェックする第４の過程と、
前記音監視機能が選択されたら、前記放送信号から検出したオーディオ信号と使用者の通話音声信号及び受信通話音声信号の合成信号がスピーカーを通じて可聴音の形態で出力されるように信号の伝達経路を連結するための制御信号を発生する第５の過程と、をさらに含む請求項２８記載の方法。
【請求項３１】
使用者ミュート機能の選択可否を感知する第７の過程をさらに含んで、
前記使用者ミュート機能の選択を感知すると、前記第３の過程で前記通話音声信号を遮断して、前記受信された放送信号から検出したオーディオ信号のみを前記音声チャンネルを通じて送出する請求項２７記載の方法。
【請求項３２】
受信された放送信号にオーディオ信号が含まれていると、使用者に放送オーディオ送出が可能であることを知らせる第７の過程をさらに含む請求項２７記載の方法。
【請求項３３】
前記第７の過程でのお知らせの後、使用者による送出機能の選択が感知されるか否かをチェックして、その結果によって前記第３の過程の遂行可否を決める第８の過程をさらに含む請求項３２記載の方法。
【請求項３４】
使用者の選択によって前記オーディオ信号の増幅利得を制御する第９の過程をさらに含む請求項２８ないし３０のうちいずれかひとつに記載の方法。
【請求項３５】
使用者の選択によって前記通話音声信号の増幅利得を制御する第１０の過程をさらに含む請求項３４記載の方法。
【請求項３６】
デジタルマルチメディア放送受信用の移動通信端末機のオーディオ送出方法において、
音声通話機能の遂行中に放送信号が受信されるか否かをチェックする第１の過程と、
受信された放送信号にオーディオ信号が含まれているかチェックする第２の過程と、
受信された放送信号にオーディオ信号が含まれていると、これを検出してデータ専用チャンネルを通じて送出する第３の過程と、を含むことを特徴とする方法。
【請求項３７】
使用者ミュート機能の選択可否を感知する第４の過程をさらに含んで、
前記第３の過程で前記データ専用チャンネルを通じたオーディオ信号の送出と同時に音声チャンネルを通じた通話音声信号の送出がなされてから、前記第４の過程で使用者ミュート機能の選択が感知されると、前記音声チャンネルを通じた通話音声信号の送出が中止される請求項３６記載の方法。
【請求項３８】
受信された放送信号にオーディオ信号が含まれていると、使用者に放送オーディオ送出が可能であることを知らせる第５の過程をさらに含む請求項３６記載の方法。
【請求項３９】
使用者による送出機能の選択が感知されるか否かをチェックして、その結果によって前記第３の過程遂行の可否を決める第６の過程をさらに含む請求項３８記載の方法。
【請求項４０】
前記データ専用チャンネルの送信速度によって前記オーディオ信号の増幅利得を制御する第７の過程をさらに含む請求項３６記載の方法。
【発明の詳細な説明】
【技術分野】
【０００１】
本発明は移動通信端末機に関し、特に、デジタルマルチメディア放送受信用の移動通信端末機のオーディオ送出装置及び方法に関する。
【背景技術】
【０００２】
ＤＭＢ(Digital Multimedia Broadcasting)／ＴＶ／Ｄ(Digital)ＴＶ端末機は移動中に高品質のデジタルオーディオ(digital audio)及びビデオ(video)放送を聞き取ることができる無線通信端末機である。
【０００３】
大韓民国公開特許公報の“公開番号特２００１−１０１０９”には移動通信端末機を利用した放送サービスシステムに関する技術が開示されている。この技術によると、テレビ放送局で放送信号を移動通信網の特性に好適なフォーマット及び送信率に変換して送出すると、前記移動通信網の加入者が自分の移動通信端末機を利用してこれを視聴することができる。これは、使用者が所望の放送プログラムを移動通信端末機の画面を通じて視聴するのに止むだけであるために、単純にテレビを視聴することができる装置が変わったということだけであり、移動通信端末機固有の特性である“他人との疎通”側面を考慮して追加開発された機能はない。
【０００４】
また、日本公開特許公報の“特許出願公開番号特開２００１−６０９９３”には電話端末装置及び通信方法に関する技術が開示されている。この技術によると、移動通信端末機加入者は通話相手先に自分の音声とともに背景音楽を送信することができる。ところで、この背景音楽は単純に端末機の内蔵メモリーに保存されたデータを利用して再生するものである。だから、相手先の嗜好や状況によって多様な背景音楽を送出するためには、その分メモリーの容量が大きくならなければならない問題点があって、メモリーの容量が充分に大きいと言ってもその多様性には限界がある。
【特許文献１】大韓民国公開特許公報の“公開番号特２００１−１０１０９”
【特許文献２】特開２００１−６０９９３号公報
【発明の開示】
【発明が解決しようとする課題】
【０００５】
上記背景に鑑みて、本発明の目的は、デジタルマルチメディア放送受信用の移動通信端末機で受信した放送オーディオ信号を相手先に送出することができる装置及び方法を提供することにある。
【課題を解決するための手段】
【０００６】
このような目的を達成するために、本第１の発明は、デジタルマルチメディア放送受信用の移動通信端末機のオーディオ送出装置が、少なくともオーディオ信号を含んで送信されるデジタルマルチメディア放送を受信し、前記受信されたデジタルマルチメディア放送からオーディオ信号を分離して出力する放送受信処理部と、前記分離されたオーディオ信号をアナログ形態に変換するデジタル／アナログ変換部と、音声通話遂行中に前記デジタルマルチメディア放送に含まれて送信されるオーディオ信号の送出が要求されるか否かを判断する制御部と、前記制御部の制御を受けて前記デジタル／アナログ変換部で出力されるアナログオーディオ信号を使用者の通話音声信号と合成する合成部と、前記合成された信号を無線送出する通話部と、から構成されることを特徴とする。
【０００７】
前記した目的を達成するために、本第２の発明は、デジタルマルチメディア放送受信用の移動通信端末機のオーディオ送出装置が、少なくともオーディオ信号を含んで送信されるデジタルマルチメディア放送を受信し、前記受信されたデジタルマルチメディア放送からオーディオ信号を分離して出力する放送受信処理部と、通話音声信号と前記分離されたオーディオ信号の割合を調整する割合調整部と、前記割合調整部で出力されるオーディオ信号を使用者の通話音声信号と合成する第１の合成部と、前記合成された信号を無線送出する通話部と、から構成されることを特徴とする。
【０００８】
前記した目的を達成するために、本第３の発明は、デジタルマルチメディア放送受信用の移動通信端末機のオーディオ送出装置が、少なくともオーディオ信号を含んで送信されるデジタルマルチメディア放送を受信し、前記受信されたデジタルマルチメディア放送からオーディオ信号を分離して出力する放送受信処理部と、前記分離したオーディオ信号がデータ送出専用チャンネルを通じて送出されることができるように割合を調整する割合調整部と、無線環境によって前記割合調整部の調整割合が可変されるように制御し、前記オーディオ信号を、データ送出専用チャンネルを通じて送る通話部と、から構成されることを特徴とする。
【０００９】
前記本第１〜第３の発明は、使用者の選択によって使用者の通話音声入力をミュート(mute)処理してオーディオ信号のみを送出して通話中に使用者の都合によってしばらく通話を保留する時にオーディオを使用することができるように構成することを特徴とする。
【００１０】
前記した目的を達成するために、本第４の発明は、デジタルマルチメディア放送受信用の移動通信端末機のオーディオ送出方法が、音声通話機能の遂行中に放送信号が受信されるか否かをチェックする第１の過程と、受信された放送信号にオーディオ信号が含まれているかチェックする第２の過程と、受信された放送信号にオーディオ信号が含まれていると、これを検出して音声チャンネルを通じて送出する第３の過程と、を含むことを特徴とする。
【００１１】
前記した目的を達成するために、本第５の発明は、デジタルマルチメディア放送受信用の移動通信端末機のオーディオ送出方法が、音声通話機能の遂行中に放送信号が受信されるか否かをチェックする第１の過程と、受信された放送信号にオーディオ信号が含まれているか否かをチェックする第２の過程と、受信された放送信号にオーディオ信号が含まれていると、これを検出してデータ専用チャンネルを通じて送出する第３の過程と、を含むことを特徴とする。
【発明の効果】
【００１２】
本発明は、移動通信端末機で相手先と通話をする時に、ビデオチャンネル(video channel)の連続ドラマを相手と一緒に聞くことができる。また、オーディオチャンネル(audio channel)を通じて良い音楽が受信される時にもその音楽を相手と一緒に聞くことができるように送出するか背景音、あるいは待機音として活用することができる。このように放送オーディオ信号を通話音声信号とともに、あるいは単独で相手先に送出するようにすることで、移動通信端末機の活用範囲(あるいは付加価値)をさらに高めることができる長所がある。また、事業者の側面でもＴＶ視聴に係わる移動通信端末機の実使用時間が増えるなど、利益の創出手段として利用可能な利点もある。
【発明を実施するための最良の形態】
【００１３】
以下、本発明の好適な実施形態について添付図を参照しつつ詳細に説明する。下記説明において、本発明の要旨のみを明瞭にするために公知の機能又は構成に対する詳細な説明は省略する。なお、図面中、同一な構成要素及び部分には、可能な限り同一な符号及び番号を共通使用するものとする。下記説明では具体的なＴＶ方式などのような特定事項が示されているが、これは本発明のより全般的な理解を助けるために提供されたものであるだけで、このような特定事項らがなくても本発明が実施されることができることは、この技術分野で通常の知識を有した者には自明である。
【００１４】
図１は本発明の実施例によるデジタルマルチメディア放送受信用の移動通信端末機でアナログ方式に放送オーディオ信号を処理して相手先に送出する装置の構成を示す図である。
【００１５】
デジタルマルチメディア放送は映像、文字、オーディオ信号のうちから少なくとも一つ以上の信号を含む。放送受信処理部ＢＲＯはデジタルマルチメディア放送を受信して映像、文字、オーディオ信号に分離した後、それぞれ復号して出力する。前記放送受信処理部ＢＲＯは無線(Radio Frequency:ＲＦ)部５２、ＤＭＢ受信モジュール５４、逆多重化器５６、そして復号部５８を含む。前記ＲＦ部５２はアンテナ(図示せず)を通じてデジタルマルチメディア放送信号を受信して、基底帯域信号に変換して、ＤＭＢ受信モジュール５４は前記ＲＦ部５２を通じて受信した信号から使用者によって選択されたチャンネルの信号を検出する。逆多重化器５６は前記ＤＭＢ受信モジュール５４から出力される放送信号を映像、文字、オーディオ信号で逆多重化する。前記復号部５８は逆多重化した映像、文字、オーディオ信号を復号して出力する。マルチメディア放送局から送る放送信号には映像(video)、オーディオ、文字データなどが含まれているが、本発明はこれらのうちからオーディオデータを処理して送出する方法に核心があるので、映像、文字データの処理に対しては具体的な説明をしない。
【００１６】
通話部ＣＯＭは通話音声、放送オーディオ、あるいはその合成信号などを相手先に無線送出するか、反対に相手先からの信号を受信する。前記通話部ＣＯＭはアナログ／デジタル−デジタル／アナログ変換部２６０、基底帯域モデム(Base Band Modem)２４０、ＲＦ部２２０、マイク３００、そして、スピーカー１８０１を含む。前記アナログ／デジタル−デジタル／アナログ変換部２６０は無線送出する、あるいは受信された信号をアナログ形態に、あるいはデジタル形態に変換する。基底帯域モデム２４０は前記アナログ／デジタル−デジタル／アナログ変換部２６０から入力される無線送出する信号をＲＦ部２２０に伝達するか、前記ＲＦ部２２０から入力される無線受信された信号をアナログ／デジタル−デジタル／アナログ変換部２６０に伝達する。
【００１７】
デジタル／アナログ変換部１６０は復号されたデジタルマルチメディア放送のオーディオ信号をアナログ形態に変換する。前記変換された信号はスピーカー１８０２を通じて可聴音の形態で出力されることで、使用者は放送オーディオ信号を聞き取ることができる。
【００１８】
利得調整及び合成部３２０は前記デジタル／アナログ変換部１６０から出力されるアナログ放送オーディオ信号とマイク３００を通じて入力される使用者通話音声信号の利得を調整してこれらを合成する。図１に示された例は抵抗などのような何種類の素子らを利用して、利得調整部分と合成部分とをともに具現した場合であるが、これらを別に具現することもできる。また、前記利得調整は前記放送オーディオ信号と前記通話音声信号の入力、あるいは増幅の割合を使用者の選択によって調整するものである。
【００１９】
合成部２８０は前記アナログ／デジタル−デジタル／アナログ変換部２６０を通じて入力される受信(相手先)通話音声信号と前記利得調整及び合成部３２０から出力される信号(使用者通話音声信号と放送オーディオ信号の合成信号)を合成して出力する。前記合成された信号はスピーカー１８０１から可聴音の形態で出力される。これはマイク３００を通じて入力される使用者の通話音声信号と放送オーディオ信号との大きさが適切であるか否かを使用者が直接監視(monitor)して調整することができるようにするためのものである。
【００２０】
前記利得調整及び合成部３２０とマイク３００との間には信号伝達統制部３４０を連結することができるが、これは基底帯域モデム２４０から発生される制御信号Ｓ５に応答してマイク３００からの使用者通話音声信号を利得調整及び合成部３２０に伝達するか、遮断する役割をする。前記基底帯域モデム２４０から発生される制御信号Ｓ５は使用者が音声ミュート機能を選択した時に、通話音声をミュートさせるためのものである。前記制御信号Ｓ５を利用して使用者通話音声信号を除いて受信(相手先)通話音声信号とオーディオ信号のみが合成されるように構成することで、合成された信号(受信通話音声信号＋オーディオ信号)の大きさが適切であるか否かを使用者が直接監視(monitor)して調整することもできる。
【００２１】
前記基底帯域モデム２４０は使用者の入力によるミュート機能選択を感知すると、制御信号Ｓ４−１を第１の状態(on)で発生して前記利得調整及び合成部３２０が前記通話音声信号を処理しないように制御することもできる。前記基底帯域モデム２４０の一例としてはクォルコム(Qualcomm)社のＭＳＭ(Mobile Station Modem)チップ(chip)らがある。
【００２２】
表示部１４０は前記放送オーディオ信号の送出が可能であるを表示する。これのために前記基底帯域モデム２４０、あるいは復号部５８は放送受信処理部ＢＲＯから受信したデジタルマルチメディア放送信号にオーディオ信号が含まれていることが感知されると、前記表示部１４０にとってこれを表示するように制御する。また、前記表示部１４０は端末機の固有動作による各種状態を表示する。
【００２３】
映像処理部１２０は放送受信処理部ＢＲＯで受信したデジタルマルチメディア放送信号から検出して復号した映像信号が前記表示部１４０に表示されることができるように処理する。
【００２４】
図２は、本発明の実施例によるデジタルマルチメディア放送受信用の移動通信端末機からデジタル方式で放送オーディオ信号を処理して相手先に送出する装置の構成を示す図である。
【００２５】
放送受信処理部ＢＲＯ、通話部ＣＯＭ、デジタル／アナログ変換部１６０の基本的な機能と映像処理部１２０と表示部１４０との機能などは前述した図１と同じであるために具体的な説明を略する。
【００２６】
放送受信処理部ＢＲＯの復号部５８から出力されるオーディオ信号は割合調整部(rate matching portion)４６０に伝達する。前記割合調整部４６０は前記復号された放送オーディオ信号の割合を通話音声の割合と一致するように調整する。復号部５８で復号された放送オーディオ信号は通話音声信号に比較して高品質(high sampling rate)の信号である。だから、そのまま音声信号と合成されることができない。それで、音声通話のための信号のような品質で合わせなければならない。また、割合調整部４６０はオーディオ信号の高周波成分をとり除くか、スムージング(smoothing)して現在常用化された音声信号伝達に適当な形態で加工する機能をさらに遂行することもできる。これは、移動通信基底帯域モデムのボコーダー(vocoder)で音声信号の周波数帯域に適当な信号のみを処理するように構成されている場合にさらに有用である。現在常用化されたボコーダーの場合に一定周波数以上の成分は自動で削除している。だから、割合調整部４６０で適切に特定周波数成分を処理する場合に使用されたボコーダーとマッチ(match)させて聞き取りやすいオーディオを送出することができる。
【００２７】
第１の可変利得制御部４８０は前記割合で調整された放送オーディオ信号の利得を調整する。第２の可変利得制御部４７０は前記通話部ＣＯＭからデジタル形態に変換された通話音声信号の利得を調整する。第１の合成部４２０は割合調整部４６０から第１の可変利得制御部４８０を経て出力される放送オーディオ信号を第２の可変利得制御部４７０から出力される使用者の通話音声信号と合成して通話部ＣＯＭに伝達する。
【００２８】
第１の信号伝逹統制部３４０は前記通話部ＣＯＭの基底帯域モデム２４０で発生される制御信号Ｓ５に回答してマイク３００を通じて入力される使用者の通話音声信号を前記通話部ＣＯＭに伝達するか遮断する。前記基底帯域モデム２４０は使用者の入力によるミュート機能選択を感知した時に、前記第１の信号伝逹統制部３４０が前記通話音声信号を前記通話部ＣＯＭに伝達しないように制御するために制御信号Ｓ５を発生する。前記第１の信号伝逹統制部３４０による音声ミュート機能の遂行外に、基底帯域モデム２４０の制御を受けてアナログ／デジタル−デジタル／アナログ変換部２６０で通話音声を処理しない方法、あるいは前記第２の可変利得制御部４７０で利得を"０"に設定することで通話音声が送出されないようにすることもできる。
【００２９】
第２の合成部４４０は前記第１の合成部４２０の出力（放送オーディオ信号及び／または使用者の通話音声信号）と無線受信された(相手先)通話音声信号を合成して、アナログ／デジタル−デジタル／アナログ変換部２６０を通じてスピーカー１８０１に伝達する。これによって、使用者は可聴音形態で出力される合成音を聞いて、その大きさが適切であるか否かを判断し、利得調整をすることができる。ただし、前記第１の合成部４２０の出力は第１の信号伝逹統制部３４０に印加される制御信号Ｓ５によって使用者の通話音声を含まない信号であるかも知れない。
【００３０】
第２の信号伝逹統制部３６０は、前記基底帯域モデム２４０で発生される制御信号Ｓ６に応答して、前記第１の合成部４２０の出力を前記第２の合成部４４０に伝達するか遮断する。
【００３１】
前記基底帯域モデム２４０は、使用者の入力による監視(monitoring)機能の選択を感知すると、前記第２の信号伝逹統制部３６０が前記第１の合成部４２０の出力を前記第２の合成部４４０に伝達するように制御する制御信号Ｓ６を発生する。
【００３２】
図３は、本発明の実施例によるデジタルマルチメディア放送受信用の移動通信端末機からデジタル方式で放送オーディオ信号を処理して相手先に送出する装置の他の構成を示す図である。
【００３３】
放送受信処理部ＢＲＯ、通話部ＣＯＭ、デジタル／アナログ変換部１６０の基本的な機能と映像処理部１２０と表示部１４０との機能などは前述した図１と同じであるために、具体的な説明を略する。また、使用者による音声ミュート機能選択のための構成を示しなかったが、前述した図１、あるいは図２のように具現可能であることを明らかにしておく。
【００３４】
放送受信処理部ＢＲＯの復号部５８から出力されるオーディオ信号は割合調整部４６０に伝達する。前記割合調整部４６０は復号部５８から出力されるオーディオ信号の割合をデータ専用送信チャンネル{ＣＤＭＡ(Code Division Multiple Access)−１Xの場合データ専用チャンネルをＳＣＨ(Supplemental Channel)、一般音声送信チャンネルはＦＣＨ(Fundamental Channel)と略称する。}の伝送速度に合わせて可変的に調整する。
【００３５】
基底帯域モデム２４０は無線送出する信号をＲＦ部２２０に伝達するか、前記ＲＦ部２２０を通じて無線信号を受信し、無線環境{専用データ送信チャンネルの送信率(transfer rate of a dedicated data transmission channel)}によって前記割合調整部４６０の調整の割合を変化させるために制御信号Ｓ９を出力する。通話部ＣＯＭはオーディオ信号と通話音声信号とを、それぞれデータ専用送信チャンネルと一般音声送信チャンネルとを通じて送る。
【００３６】
図４は、本発明の実施例によるデジタルマルチメディア放送受信用の移動通信端末機の放送オーディオ信号送出方法を示す流れ図である。
【００３７】
４ａの段階で基底帯域モデム２４０は、使用者から音声通話の要求があるか否かをチェックして、要求があれば４ｂの段階で音声通話機能の遂行を始める。そして、４ｃの段階でのように、音声通話機能の遂行中に放送信号を受信中であるか否かをチェックする。前記チェック結果放送信号の受信が感知されると、４ｄの段階で前記受信された放送信号にオーディオ信号が含まれているかチェックする。受信された放送信号にオーディオ信号が含まれていると、４ｅの段階で表示部１４０にとってオーディオ送出可能を知らせるメッセージを表示するように制御する。図４に示された例は視覚的なお知らせであるが、聴覚的なお知らせや震動など多様に具現可能である。
【００３８】
４ｆの段階で基底帯域モデム２４０は、前記お知らせ結果、使用者が送出機能を選択するか否かをチェックして送出機能の選択を感知すると、４ｇの段階でオーディオ処理ルチンを遂行する。前記４ｇの段階で処理されたオーディオは、４ｈの段階で相手先に送出される。前記４ｈの段階で放送オーディオ信号の送出は、使用者の通話音声信号と合成された形態で音声チャンネルを通じて行われることができる。あるいは、使用者の通話音声信号はミュートされて放送オーディオ信号のみが、音声チャンネルを通じて送出されることができる。また、音声チャンネルを通じて送出される通話音声信号と別個にデータ専用チャンネルを通じて放送オーディオ信号を送出することもできる。
【００３９】
図５は、図４のうちオーディオ処理ルチンの具体的な動作手順を示す流れ図であり、図１の構成に基づいて説明すると次のようである。
【００４０】
５ａの段階で基底帯域モデム２４０は、使用者が音声ミュート機能を選択したか否かをチェックする。前記チェック結果ミュート機能の選択が感知されなければ、基底帯域モデム２４０は５ｂ〜５ｆの段階を遂行して使用者の通話音声信号とオーディオ信号とを合成して音声チャンネルを通じて送出する。すなわち、５ｂの段階で基底帯域モデム２４０は図１に示すところのように、制御信号Ｓ４を発生して利得調整及び合成部３２０が通話音声信号及びオーディオ信号の利得を調整して、５ｃの段階でこれらを合成するように制御する。そして、５ｄの段階で基底帯域モデム２４０は、前記合成された音と相手先の音声とが合成部２８０で合成されてスピーカー１８０１を通じて出力されるように制御する。これにより、使用者は使用者の音声と相手先の音声及びオーディオがすべて合成された音の大きさを監視(音量の大きさを適切に調整)することができる。
【００４１】
５ｅの段階で基底帯域モデム２４０は、使用者がオーディオ／音声利得調整のための入力をしたか否かをチェックする。前記チェック結果オーディオ／音声利得調整のための入力をしたら前記５ｂの段階に戻る。反面に、利得調整入力が感知されなかったら、５ｆの段階に進行して基底帯域モデム２４０はＲＦ部２２０にとって音声チャンネルを通じて使用者の通話音声信号とオーディオ信号とを合成した音が相手先に送出されるように制御する。
【００４２】
５ａの段階でのチェック結果ミュート機能選択が感知されると、基底帯域モデム２４０は５ｇ〜５mの段階を遂行して通話音声信号を遮断して前記受信された放送信号から検出したオーディオ信号のみを前記音声チャンネルを通じて送出する。すなわち、５ｇの段階で基底帯域モデム２４０は、制御信号Ｓ４−１を発生して利得調整及び合成部３２０が音声利得:オーディオ利得を、０:１で調整するように制御する。そして、５ｈの段階で使用者が監視機能を選択したか否かをチェックする。前記チェック結果監視機能が選択されたら、５ｉの段階で基底帯域モデム２４０は放送信号から検出したオーディオ信号が相手の通話音声信号と合成されてスピーカー１８０１を通じて可聴音の形態で出力されるようにＳ４−２を第１の状態(on)で発生する。この時、使用者の音声信号は利得が"０"であるために、利得調整及び合成部３２０から出力されない。前記５ｉ段階の遂行後、あるいは前記５ｈの段階で監視機能が選択されなかったら、５ｊの段階で基底帯域モデム２４０は使用者がオーディオ利得調整のための入力をしたか否かをチェックする。前記チェック結果オーディオ利得調整のための入力をしたら、５ｋの段階で基底帯域モデム２４０は該当する制御信号Ｓ４−１を発生して利得調整及び合成部３２０にとって利得を調整するようにする。前記５ｋの段階遂行後、あるいは前記５ｊの段階で利得調整入力が感知されなかったら、５ｌの段階に進行して基底帯域モデム２４０はＲＦ部２２０にとって音声チャンネルを通じてオーディオ信号のみを相手先に送出されるように制御する。そして、５ｍの段階で使用者が音声ミュート機能を解除したかをチェックして、解除が感知されると前述した５ｂの段階に進行する。反面に、解除が感知されなければ５ｍの段階を繰り返し遂行する。
【００４３】
図６は、図４のうちでオーディオ処理ルチンの他の具体的な動作手順を示す流れ図であり、図２の構成に基づいて説明すると次のようである。
【００４４】
６ａの段階で基底帯域モデム２４０は、オーディオ復号データの入力を感知して、６bの段階で割合調整(rate mating)処理をする。
【００４５】
６cの段階で基底帯域モデム２４０は、使用者が音声ミュート機能を選択したか否かをチェックする。前記チェック結果ミュート機能の選択が感知されなければ、基底帯域モデム２４０は６ｄ〜６ｈの段階を遂行して、通話音声信号とオーディオ信号とを合成して音声チャンネルを通じて送出する。すなわち、６ｄの段階で基底帯域モデム２４０は制御信号Ｓ７−１、Ｓ７−２を発生して第１及び第２の可変利得制御部４８０、４７０がそれぞれオーディオ信号と通話音声信号との利得を調整するように制御する。この値は一番最近の電源オフ直前に記憶された値であることがある。６ｅの段階で基底帯域モデム２４０は第１の合成部４２０から前記利得調整された通話音声信号とオーディオ信号との合成信号を伝達される。そして、６ｆの段階で制御信号Ｓ６を第１の状態(on)で発生して合成音及び相手先の音声がスピーカー１８０１を通じて出力されるようにする。そして、６ｇの段階で基底帯域モデム２４０は使用者が音声／オーディオ利得調整のための入力をしたか否かをチェックする。前記チェック結果音声／オーディオ利得調整のための入力をしたら前記６ｄの段階に戻る。これにより、使用者は自分の音声と相手先の音声及びオーディオがすべて合成された音の大きさを監視して、音量の大きさを適切に調整することができる。反面に、利得調整の入力が感知されなかったら６ｈの段階に進行して、基底帯域モデム２４０はＲＦ部２２０にとって音声チャンネルを通じて通話音声信号とオーディオ信号とを合成した音が相手先に送出されるように制御する。
【００４６】
６ｃの段階でのチェック結果ミュート機能選択が感知されると、基底帯域モデム２４０は６ｉ〜６ｐの段階を遂行して通話音声信号を遮断して前記受信された放送信号から検出したオーディオ信号のみを前記音声チャンネルを通じて送出する。すなわち、６ｉの段階で基底帯域モデム２４０は、制御信号Ｓ５を第２の状態(off)で発生してマイク３００からアナログ／デジタル−デジタル／アナログ変換部２６０に伝達する通話音声信号の伝達経路を遮断する。６ｊの段階で使用者による監視機能が選択されるか否かをチェックする。前記チェック結果監視機能が選択されたら、６ｋの段階で放送信号から検出したオーディオ信号と相手先の通話音声信号の合成信号(この時、使用者音声はミュート状態であるために、相手先の音声のみと合成されるものである。)がスピーカー１８０１を通じて可聴音の形態で出力されるように信号の伝達経路を連結するための制御信号Ｓ６を発生する。前記６ｋ段階の遂行後、あるいは前記６ｊの段階で監視機能が選択されなかったら、６ｌの段階で基底帯域モデム２４０は、使用者がオーディオ利得調整のための入力をしたか否かをチェックする。前記チェック結果オーディオ利得調整のための入力をしたら、６ｍの段階で基底帯域モデム２４０は該当する制御信号Ｓ７−１を発生して利得を調整するようにする。前記６ｍ段階の遂行後、あるいは前記６ｌの段階で利得調整入力が感知されなかったら、６ｎの段階に進行して基底帯域モデム２４０はＲＦ部２２０にとって音声チャンネルを通じてオーディオ信号のみを相手先に送出されるように制御する。６ｏの段階で使用者が音声ミュート機能を解除したか否かをチェックする。前記チェック結果ミュート機能解除が感知されると、６ｐの段階で制御信号Ｓ５を第１の状態(on)で発生してマイク３００からアナログ／デジタル−デジタル／アナログ変換部２６０で通話音声信号が伝達するように経路を復旧した後、前記６ｄの段階に戻る。反面に、前記６ｏの段階で音声ミュート機能が解除されなかった場合には、前記６ｏの段階を繰り返し遂行する。
【００４７】
図７は、図４のうちオーディオ処理ルチンのまた他の具体的な動作手順を示す流れ図であり、図３の構成に基づいて説明すると次のようである。
【００４８】
７ａの段階で基底帯域モデム２４０は、相手先の端末機がデータ専用チャンネル受信可能な端末機であるか否かをチェックする。相手先の端末機がデータ専用チャンネルを受信することができるか否かは、最初通話路の形成時に取り交わす情報を通じて分かることができる。このような構成の有する長所は、データ専用チャンネルの送信速度や相手先の端末機によって復号部から出力されるオーディオ原本データをデータ送信チャンネル(ＳＣＨ)を通じて音声チャンネル(ＦＣＨ)とは別途に送ることができるという点である。本実施例で送信のためのオーディオデータの符号化は多様に実施されることができる。すなわち、図３の復号部５８で復号をしないで、割合調整部４６０に伝達するか、復号した信号を伝達しても割合調整部４６０、あるいは基底帯域モデム２４０で符号化をすることもできる。
【００４９】
前記７ａの段階で相手先の端末機がデータ専用チャンネル受信可能な端末機なら、基底帯域モデム２４０は７ｂの段階でオーディオ復号データの入力を感知し、７ｃの段階で送信チャンネル(データ専用チャンネル)の送信速度を確認し、７ｄの段階で割合調整部４６０に制御信号(Ｓ９)を送ることで、割合調整部４６０にとって送信速度による利得調整をするようにする。
【００５０】
７ｅの段階で基底帯域モデム２４０は、使用者が音声ミュート機能を選択したか否かをチェックする。前記チェック結果ミュート機能の選択が感知されなければ、基底帯域モデム２４０は７ｊの段階を遂行して音声チャンネルを通じて通話音声信号を送出すると同時にデータ専用チャンネルを通じてオーディオを送出するようにＲＦ部２２０を制御する。
【００５１】
前記７ｅの段階でミュート機能選択が感知されると、基底帯域モデム２４０は７ｆ〜７ｈの段階を遂行することができる。具体的に、７fの段階で音声ミュートを制御するための制御信号Ｓ８を第２の状態(off)で発生させてアナログ／デジタル−デジタル／アナログ変換部２６０にとって使用者の入力音声を処理しないように制御する。７ｇの段階で基底帯域モデム２４０はデータ専用チャンネルを通じてオーディオのみを送出するようにＲＦ部２２０を制御する。７ｈの段階で基底帯域モデム２４０は、使用者による音声ミュート機能解除が感知されたか否かをチェックして解除されたら、７ｉの段階で音声ミュート解除制御信号Ｓ８を第１の状態(on)で発生した後、前記７ｊの段階に戻る。反面に、前記７ｈの段階で使用者による音声ミュート機能の解除が感知されなければ、前記７hの段階を繰り返し遂行する。
【００５２】
また、使用者によって監視機能が選択された時、前述した図５と図６の場合には相手先の音声をともに聞くことができるようにすることで、まるで送出オーディオが背景音楽(back ground music)として活用されるような效果を得ることができるようにした。しかし、前記図７の場合にはオーディオ送出が別個のデータ専用チャンネルを通じて行われるので、相手先の音声とともに聞くことができない。すなわち、通話背景音の機能を活用することができない。
【００５３】
以上、本発明の詳細について具体的な実施形態に基づき説明してきたが、本発明の範囲を逸脱しない限り、各種の変形が可能なのは明らかである。例えば、図１及び図２での信号らＳ４−１、Ｓ４−２、Ｓ５、Ｓ６、Ｓ７−１、Ｓ７−２、Ｓ８を出力する制御部を別に置くか、ＤＭＢ受信モジュール５４、復号部５８、あるいは示されたところのように基底帯域モデム２４０に含ませて具現することもできる。ただし、図３の信号Ｓ９は基底帯域モデム２４０で発生させることが一番望ましい。一方、本実施例では別に具現したが、ＤＭＢ受信モジュール５４と基底帯域モデム２４０、アナログ／デジタル−デジタル／アナログ変換部２６０などを一つのチップ形態として具現することもできる。従って、本発明の範囲は、上記実施形態に限るものでなく、特許請求の範囲のみならず、その範囲と均等なものにより定められるべきである。
【図面の簡単な説明】
【００５４】
【図１】本発明の実施例によるデジタルマルチメディア放送受信用の移動通信端末機からアナログ方式で放送オーディオ信号を処理して相手先に送出する装置の構成を示す図。
【図２】本発明の実施例によるデジタルマルチメディア放送受信用の移動通信端末機からデジタル方式で放送オーディオ信号を処理して相手先に送出する装置の構成を示す図。
【図３】本発明の実施例によるデジタルマルチメディア放送受信用の移動通信端末機からデジタル方式で放送オーディオ信号を処理して相手先に送出する装置の他の構成を示す図。
【図４】本発明の実施例によるデジタルマルチメディア放送受信用の移動通信端末機の放送オーディオ信号送出方法を示す流れ図。
【図５】図４のうちでオーディオ処理ルチンの具体的な動作手順を示す流れ図。
【図６】図４のうちでオーディオ処理ルチンの他の具体的な動作手順を示す流れ図。
【図７】図４のうちでオーディオ処理ルチンのまた他の具体的な動作手順を示す流れ図。
【符号の説明】
【００５５】
ＢＲＯ  放送受信処理部
ＣＯＭ  通話部
５２  無線(Radio Frequency:ＲＦ)部
５４  ＤＭＢ受信モジュール
５６  逆多重化器
５８  復号部
１２０  映像処理部
１４０  表示部
１６０  デジタル／アナログ変換部
２２０  ＲＦ部
２４０  基底帯域モデム(Base Band Modem)
２６０  アナログ／デジタル−デジタル／アナログ変換部
２８０  合成部
３００  マイク
３２０  利得調整及び合成部
１８０１、１８０２  スピーカー
【図１】
2005117630.tif 000003
【図２】
2005117630.tif 000004
【図３】
2005117630.tif 000005
【図４】
2005117630.tif 000006
【図５】
2005117630.tif 000007
【図６】
2005117630.tif 000008
【図７】
2005117630.tif 000009